【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】少なくとも１つの同期段階および１つの復号段階を含み、既知の理論的形状のパルスを使用して符号化されたデジタル情報を搬送する超広帯域タイプの到来パルス信号を復号する方法であって、
前記到来信号を受信して、基底信号（ＳＧＢ）を取得するステップと、
或る基準に対する前記基底信号の符号を表す中間信号（ＳＧＩ）をサンプリングし、デジタル信号（ＳＮＭ）を取得するステップと、を含み、
前記同期段階および復号段階は、前記デジタル信号のデジタル処理を含み、該デジタル処理は、前記既知の理論的形状を有する少なくとも１つの理論的パルスの受信から生ずる理論的基底信号に対応する基準相関信号（ＳＣＲ）と、前記デジタル信号との間の相関を含む、方法。
【請求項２】前記サンプリングは、予め決められた送出周波数Ｆｅで、Ｎ個のサンプルからなるグループを連続的に送出する直列−並列変換処理を含み、該Ｎ個のサンプルは並列に送出され、前記中間信号（ＳＧＩ）のサンプリングの有効周波数は、Ｎ・Ｆｅに等しい、
請求項１に記載の方法。
【請求項３】前記パルス（ＰＬＳＤ）は、数ＧＨｚの中心周波数を持ち、前記サンプリングの有効周波数は、１０ＧＨｚより大きい、
請求項２に記載の方法。
【請求項４】前記Ｎは、２の整数累乗であり、前記サンプリングの有効周波数は、約２０ＧＨｚであり、前記送出周波数Ｆｅは、約２００ＭＨｚである、
請求項３に記載の方法。
【請求項５】前記基準相関信号（ＳＣＲ）は、基準サンプルから形成され、前記同期段階および復号段階において実行される前記デジタル処理は、前記デジタル信号のサンプルと前記基準サンプルとの間のスライディング相関を含む、
請求項１から請求項４のいずれかに記載の方法。
【請求項６】前記デジタル情報は、フレーム（ＴＲＡ）で搬送され、該フレームのそれぞれは、いくつかの理論的パルスから形成された同期符号（ＣＳＹ）を含む長さＴｓの少なくとも１つのセグメント（ＦＲＧi）を有する同期ヘッダ（ＥＳ）を備え、
前記基準相関信号は、Ｔｓに等しい信号持続時間と、前記同期符号の受信から生ずる理論的基底信号とに対応するＮ５個の前記基準サンプルから形成され、
前記同期ヘッダの受信中に前記同期段階において実行される前記デジタル処理は、前記Ｔｓより大きい信号持続時間に対応する前記デジタル信号のＮ３個のサンプル・セットと前記Ｎ５個の前記基準サンプルとの間のスライディング相関と、該相関の結果に基づいて、前記同期符号を検出し、または該同期符号の円順列を検出することと、を含む、
請求項５に記載の方法。
【請求項７】前記同期ヘッダは、同一の前記同期符号をそれぞれが含む同じ長さＴｓのいくつかのセグメント（ＦＲＧi）を含み、
前記同期段階は、前記デジタル信号の一連のコヒーレント積分処理をさらに含む、
請求項６に記載の方法。
【請求項８】さらに、伝送チャネルの応答を推定する推定段階を含み、
前記推定段階は、前記デジタル信号と前記基準相関信号（ＳＣＲ）との間の相関を含むデジタル処理を有する、
請求項１から請求項５のいずれかに記載の方法。
【請求項９】前記デジタル情報は、フレーム（ＴＲＡ）で搬送され、該フレームのそれぞれは、同期ヘッダ（ＥＳ）と、該同期ヘッダに対して既知の極性および既知の時間シフト（ｔ１）を有する少なくとも１つのパルスを含む第２の部分（Ｐ２）とを有し、
前記基準相関信号は、単一の理論的パルスの受信から生ずる理論的基底信号に対応するＮ２個の基準サンプルから形成され、
前記推定段階において実行されるデジタル処理は、前記同期ヘッダから前記時間シフトだけ離れた瞬間から、予め決められたＮ４個の前記デジタル信号のサンプルの格納を開始し、前記Ｎ２個の基準サンプルと前記デジタル信号のＮ４個のサンプル・セットとの間のスライディング相関を実行して、Ｎ４個の基準相関値のベクトルを取得することを含む、
請求項８に記載の方法。
【請求項１０】前記フレームの第２の部分（Ｐ２）は、前記デジタル信号のＮ４個のサンプルに対応する、或る時間間隔（ｔ２）によって規則的に間隔をあけられた既知の極性のパルスを含み、
前記推定段階において実行されるデジタル処理は、前記デジタル信号の一連のコヒーレント積分をさらに含む、
請求項９に記載の方法。
【請求項１１】前記フレームは、有効なデータを符号化した有効パルスを含む第３の部分（Ｐ３）を含み、
前記有効パルスのそれぞれは、既知の基準時間位置を前記フレームに持ち、
前記復号段階において実行されるデジタル処理は、現在の前記有効パルスの受信の想定された瞬間から前記デジタル信号のＮ４個のサンプルの格納を開始し、該格納されたＮ４個のサンプルと前記Ｎ２個の基準サンプルとの間のスライディング相関を実行して、該現在の有効パルスに関連するＮ４個の有効相関値のベクトルを取得し、該有効相関値のベクトルと前記Ｎ４個の基準相関値のベクトルとの比較を行い、または、該有効相関値のベクトルと、予め決められたシフトにより時間的に遅らせられた、または進められた前記基準相関値のベクトルとの比較を行う、
請求項９または請求項１０のいずれかに記載の方法。
【請求項１２】既知の理論的形状のパルスを使用して符号化されたデジタル情報を搬送する超広帯域タイプの到来パルス信号を復号するための装置であって、
前記到来信号を受信して、基底信号を送出する入力手段（ＡＮＴ）と、
前記基底信号を受け取り、或る基準に対する前記基底信号の符号を表す中間信号を送出するよう構成された前処理手段（ＣＭＰ）と、
前記中間信号をサンプリングし、デジタル信号を送出するよう構成されたサンプリング手段（ＭＥＣＨ）と、
前記既知の理論的形状を有する少なくとも１つの理論的パルスの受信から生ずる理論的基底信号に対応する基準相関信号と、前記デジタル信号との間の相関を実行するよう構成された同期手段（ＭＳＹＮ）および復号手段（ＭＤＣＤ）を含むデジタル処理手段（ＭＴＮ）と、
を備える装置。
【請求項１３】前記サンプリング手段は、予め決められた送出周波数Ｆｅで、Ｎ個のサンプリングからなるグループを連続して送出する直列−並列変換手段を含み、該Ｎ個のサンプルは並列に送出され、前記中間信号のサンプリングの有効周波数は、Ｎ・Ｆｅに等しい、
請求項１２に記載の装置。
【請求項１４】前記直列−並列変換手段は、
前記送出周波数Ｆｅを有する基底クロック信号を受け取り、すべてが同じ周波数Ｆｅを有するが相互に１／Ｎ・Ｆｅだけ時間的にシフトしたＮ個の基本クロック信号を送出するプログラム可能クロック回路（ＣＨＰ）と、
その入力部において前記中間信号を受け取り、前記Ｎ個の基本クロック信号によって制御され、Ｎ個のサンプルを送出するＮ個のフリップフロップ回路と、
前記基底クロック信号によって制御され、前記Ｎ個のフリップフロップ回路によって送出されたＮ個のサンプルを格納し、該サンプルを前記送出周波数で並列に送出する出力レジスタと、
を備える、請求項１３に記載の装置。
【請求項１５】前記プログラム可能クロック回路（ＣＨＰ）は、前記Ｎ個の基本クロック信号を送出するプログラム可能リング発振器（ＯＳＣ２）を含むデジタル位相同期ループを備え、
前記発振器は、Ｎ個のフリップフロップのそれぞれの出力を受け取る制御回路（ＣＣＤ）から制御され、
前記Ｎ個のフリップフロップのすべては、前記基底クロック信号を受け取り、前記Ｎ個の基本クロック信号によってそれぞれ制御される、
請求項１４に記載の装置。
【請求項１６】前記パルスは、数ＧＨｚの中心周波数を持ち、前記サンプリングの有効周波数は、１０ＧＨｚより大きい、
請求項１３から請求項１５のいずれかに記載の装置。
【請求項１７】前記Ｎは、２の整数累乗であり、前記サンプリングの有効周波数は、約２０ＧＨｚであり、前記送出周波数Ｆｅは、約２００ＭＨｚである、
請求項１６に記載の装置。
【請求項１８】前記サンプリング手段（ＭＥＣＨ）は、ＣＭＯＳ技術で実現される、
請求項１２から請求項１７のいずれかに記載の装置。
【請求項１９】前記サンプリング手段および前記デジタル処理手段を、予め決められた時間間隔の間、待機モードに置くよう構成される制御手段（ＭＣＴＬ）をさらに備える、
請求項１８に記載の装置。
【請求項２０】前記基準相関信号は、基準サンプルから形成され、
前記同期手段および復号手段によって実行されるデジタル処理は、前記デジタル信号のサンプルと前記基準サンプルとの間のスライディング相関を含む、
請求項１２から請求項１９のいずれかに記載の装置。
【請求項２１】前記デジタル情報は、フレームで搬送され、該フレームのそれぞれは、いくつかの理論的パルスから形成された同期符号を含む長さＴｓの少なくとも１つのセグメント（ＦＲＧi）を有する同期ヘッダ（ＥＳ）を備え、
前記基準相関信号は、Ｔｓに等しい信号持続時間と、前記同期符号の受信から生ずる理論的基底信号とに対応するＮ５個のサンプルから形成され、
前記同期ヘッダの受信中に前記同期手段によって実行されるデジタル処理は、前記Ｔｓより大きい信号持続時間に対応する前記デジタル信号のＮ３個のサンプル・セットと前記Ｎ５個の基準サンプルとの間のスライディング相関と、該スライディング相関の結果に基づいて前記同期符号を検出し、または該同期符号の円順列を検出することを含む、
請求項２０に記載の装置。
【請求項２２】前記同期ヘッダ（ＥＳ）は、同じ前記同期符号をそれぞれが含む同じ長さＴｓのいくつかのセグメント（ＦＲＧi）を含み、
前記同期手段は、前記デジタル信号の一連のコヒーレント積分を実行するよう構成された手段をさらに含む、
請求項２１に記載の装置。
【請求項２３】伝送チャネルの応答を推定する推定手段（ＭＥＳＴ）をさらに備え、
前記推定手段は、前記デジタル信号と前記基準相関信号との間の相関を含むデジタル処理を実行するよう構成される、
請求項１２から請求項２０のいずれかに記載の装置。
【請求項２４】前記デジタル情報は、フレーム（ＴＲＡ）で搬送され、該フレームのそれぞれは、同期ヘッダ（ＥＳ）と、該同期ヘッダに対して既知の極性および既知の時間シフトを有する少なくとも１つのパルスを含む第２の部分（Ｐ２）とを有し、
前記基準相関信号（ＳＣＲ）は、単一の理論的パルスの受信から生ずる理論的基底信号に対応するＮ２個のサンプルから形成され、
前記推定手段によって実行されるデジタル処理は、前記同期ヘッダから前記時間シフトだけ離れた瞬間から、予め決められたＮ４個の前記デジタル信号のサンプルの格納を開始し、前記Ｎ２個の基準サンプルと前記デジタル信号のＮ４個のサンプル・セットとの間のスライディング相関を実行して、Ｎ４個の基準相関値のベクトルを取得することを含む、
請求項２３に記載の装置。
【請求項２５】前記フレームの第２の部分（Ｐ２）は、前記デジタル信号のＮ４個のサンプルに対応する、或る時間間隔によって規則的に間隔をあけられた既知の極性のパルスを含み、
前記推定手段は、前記デジタル信号の一連のコヒーレント積分を実行するよう構成された手段をさらに含む、
請求項２４に記載の装置。
【請求項２６】前記フレームは、有効なデータを符号化した有効パルスを含む第３の部分（Ｐ３）を含み、
前記有効パルスのそれぞれは、既知の基準時間位置を前記フレームに持ち、
前記復号手段によって実行されるデジタル処理は、現在の前記有効パルスの受信の想定された瞬間から前記デジタル信号のＮ４個のサンプルの格納を開始し、該格納されたＮ４個のサンプルと前記Ｎ２個の基準サンプルとの間のスライディング相関を実行して、該現在の有効パルスに関連するＮ４個の有効相関値のベクトルを取得し、該有効相関値のベクトルと前記Ｎ４個の基準相関値のベクトルとの比較を行い、または、該有効相関値のベクトルと、予め決められたシフトにより時間的に遅らせられ、または進められた前記基準相関値ベクトルとの比較を行う、
請求項２４または請求項２５のいずれかに記載の装置。
【請求項２７】ローカル・エリア・ネットワークのような無線伝送システムの端末であって、請求項１２から請求項２６のいずれかに記載の装置を組み入れた端末。